(57)【要約】【課題】ヒンジ部のコネクタで接続し、接続時に強度を保つフレームに接続自在に取り外すことができ、筐体の小型・薄型化が可能な携帯端末装置を提供すること。【解決手段】分離型携帯端末装置１００は、操作部１１１を有する第１の筐体１１０と、表示部１２１を有する第２の筐体１２０と、第１の筐体１１０と第２の筐体１２０を着脱自在に連結するフレーム１３０とを備え、フレーム１３０は、第１の筐体１１０と第２の筐体１２０とを着脱可能に接続する取付ける装置である。フレーム１３０は、第１の筐体１１０と連結する連結部１３１と、フレーム表示部１３２と、フレーム窓部１３３と、固定部１３４とから構成される。ヒンジ部１３５は、コネクタ１３６を介して回動可能に支持された第１の筐体１１０及び第２の筐体１２０を重ね合わせる。ヒンジ部１３５は、回転ヒンジもしくはワンプッシュ機構付ヒンジである。【選択図】図１
2012151578.tif 000002
【特許請求の範囲】
【請求項１】
第１の筐体と、
前記第１の筐体と着脱可能な第２の筐体と、
前記第１の筐体に設けられ、前記第２の筐体が前記第１の筐体に接続した際に、前記第２の筐体外面に沿って当接するフレームとを備えた携帯端末装置。
【請求項２】
前記第２の筐体を第１の筐体から分離した際には、前記フレームは前記第１の筐体に固定可能にしたことを特徴とする請求項１記載の携帯端末装置。
【請求項３】
前記第２の筐体が前記第１の筐体に接続した際に、前記フレームは前記第２の筐体の端部と嵌合し、前記第２の筐体を第１の筐体の接続面に向けて当接することを特徴とする請求項１乃至２記載の携帯端末装置。
【請求項４】
前記第２の筐体が前記第１の筐体に接続した際に、前記フレームは前記第２の筐体の端部と当接し、第２の筐体側面と嵌合することを特徴とする請求項１乃至２記載の携帯端末装置。
【発明の詳細な説明】
【技術分野】
【０００１】
本発明は、携帯端末装置に関する。
【背景技術】
【０００２】
近年、携帯端末装置は、縦長状態で接続する携帯形態（ダイヤルキー表示）、横長状態接続のいわゆるスマートフォン（登録商標）形態を自在に使い分けられるほか、両者を離したままリモコンのように使用したり、腕時計型表示などと組み合わせながら使用したりするようになっている。
【０００３】
携帯端末装置が２つに分離することで、例えば、電話しながらＷｅｂで調べ物をする場合、コンパクトな音楽プレーヤとして使用する場合、ワンセグやムービーを少し離れた場所でリモコン操作で使用する場合に適している。また、２つに分離することに加えて、縦長状態又は横長状態を自在に切り替えたい要望がある。
【０００４】
特許文献１には、第１筐体と第２筐体とが着脱可能とされ、第１筐体に対して正規の第２筐体が接続した時に使用可能とする携帯通信端末が開示されている。
【０００５】
特許文献２には、複数に分離された筐体と、分離された筐体を構造的および電気的に接続するための着脱可能なコネクタとから構成され、用途に適合した種類と形状のコネク
タが選択可能な携帯通信機が開示されている。
【先行技術文献】
【特許文献】
【０００６】
【特許文献１】特開２００７−２３５３２０号公報
【特許文献２】特開平１０−１５５０１３号公報
【発明の概要】
【発明が解決しようとする課題】
【０００７】
しかしながら、このような従来の分離型携帯端末装置にあっては、第１の筐体と第２の筐体とが単に着脱可能であるだけであって、第１の筐体と第２の筐体が接続自在になるよう構成され、接続時に強度を保つフレームを有し、第１の筐体にフレームを収納状態では操作の妨げをしない構造を特徴とする機構のものはない。
【０００８】
また、特許文献２のような筐体同士を分離可能に保持する分離部を、第１の筺体又は第２の筐体どちらかに設けた場合、分離部を設けた筐体側の機構及び構造が非常に複雑になるという課題がある。複雑な機構及び構造の分離部を有する筐体は、レイアウト上の制約が大きく、小型・薄型化が困難であるという欠点がある。
本発明は、かかる点に鑑みてなされたものであり、筐体を再度接続する場合の簡単な操作で確実に位置決めができ接続の信頼性を確保でき、筐体の小型・薄型化が可能な携帯端末装置を提供すること、また、従来の分離型携帯端末装置では、接続時の落下などの衝撃による位置ずれにたいして強度の不足を解消することを目的のひとつとする。
【課題を解決するための手段】
【０００９】
本発明の携帯端末装置は、通信部又は操作部を有する第１の筐体と、表示部を有する第２の筐体と、前記第１の筐体と前記第２の筐体を着脱自在に連結する第３の筐体とを備え、前記第３の筐体は、前記第１の筐体と前記第２の筐体のいずれかを同一平面上で回動可
能に支持する支持部と、前記支持部に支持された前記第１の筐体及び前記第２の筐体を重ね合わせるヒンジ部と、を備える構成を採る。
【発明の効果】
【００１０】
本発明によれば、筐体を再度接続する場合の簡単な操作で確実に位置決めができ接続の信頼性を確保でき、筐体の小型・薄型化が可能な携帯端末装置を実現することができる。
【図面の簡単な説明】
【００１１】
【図１】本発明の実施の形態１に係る携帯端末装置の背面から見た斜視図
【図２】本発明の実施の形態１に係る携帯端末装置で第２の筐体を装着した状態を示す正面図
【図３】本発明の実施の形態１に係る携帯端末装置で第２の筐体を装着した状態を示す側面図
【図４】本発明の実施の形態１に係る携帯端末装置で、第２の筐体を装着した状態で折り畳んだ場合の構成を示す正面図
【図５】本発明の実施の形態１に係る携帯端末装置で、第２の筐体を装着した状態で折り畳んだ場合の構成を示す側面図
【図６】本発明の実施の形態１に係る携帯端末装置で、第２の筐体を分離した状態でフレームを折り畳んだ場合の構成を示す正面図
【図７】本発明の実施の形態１に係る携帯端末装置で、第２の筐体を分離した状態でフレームを折り畳んだ場合の構成を示す側面図
【図８】本発明の実施の形態２に係る携帯端末装置の背面から見た斜視図
【図９】本発明の実施の形態２に係る携帯端末装置で第２の筐体を装着した状態を示す正面図の構成を示す図
【図１０】本発明の実施の形態２に係る携帯端末装置で第２の筐体を装着した状態を示す側面図
【図１１】本発明の実施の形態２に係る携帯端末装置、第２の筐体を装着した状態で折り畳んだ場合の構成を示す正面図
【図１２】本発明の実施の形態２に係る携帯端末装置で、第２の筐体を装着した状態で折り畳んだ場合の構成を示す側面図
【図１３】本発明の実施の形態２に係る携帯端末装置で、第２の筐体を分離した状態でフレームを折り畳んだ場合の構成を示す正面図
【図１４】本発明の実施の形態２に係る携帯端末装置で、第２の筐体を分離した状態でフレームを折り畳んだ場合の構成を示す側面図
【発明を実施するための形態】
【００１２】
以下、本発明の実施の形態について図面を参照して詳細に説明する。
【００１３】
（実施の形態１）
図１は、本発明の実施の形態１に係る携帯端末装置の背面から見た斜視図である。図２は、第２の筐体を装着した状態を示す正面図、図３は、第２の筐体を装着した状態を示す側面図である。図４は、第２の筐体を装着した状態で折り畳んだ場合の構成を示す正面図であり、図５は、第２の筐体を装着した状態で折り畳んだ場合の構成を示す側面図である。図６は、第２の筐体を分離した状態でフレームを折り畳んだ場合の構成を示す正面図であり、図７は、第２の筐体を分離した状態でフレームを折り畳んだ場合の構成を示す側面図である。
また、図４乃至図７は、携帯端末装置の使用方法を説明する図である。本実施の形態は、分離型携帯端末装置としてカメラ付き携帯電話機／ＰＨＳ（Personal Handy-Phone System）を適用した例である。また、ＰＤＡ（Personal Digital Assistants：携帯情報端末）、携帯ゲーム機などの携帯機器に適用できる。
【００１４】
図１乃至図７に示すように、分離型携帯端末装置１００は、キー等の操作部１１１（図２参照）を有する第１の筐体１１０と、ＬＣＤディスプレイ等の表示部１２１を有する第２の筐体１２０と、第１の筐体１１０は第２の筐体１２０をそれぞれ着脱可能に接続するフレーム１３０とを備えて構成される。
【００１５】
第１の筐体１１０、第２の筐体１２０、及びフレーム１３０は、絶縁体である樹脂の成型品、例えば非導電性のＡＢＳ樹脂により構成される。第１の筐体１１０は、図２に示すように十字キー，機能キー，テンキー等の操作部１１１、小画面ＬＣＤ表示部１１２、マイク１１３、及びスピーカ１１４を備える。第１の筐体１１０のヒンジ部には、第２の筐体１２０と接続するためのコネクタ１３６及び第２の筐体１２０をそれぞれ着脱可能に接続するフレーム１３０、第１の筐体の固定凹部１４０が設けられている。
【００１６】
第１の筐体１１０内部には、キャリア無線の電波を送受信して無線通信を行う通信部（図示略）と、キャリア以外の無線通信を行う無線通信部（図示略）とを備える。無線通信部は、第２の筐体１２０の無線通信部（図示略）との間でキャリア以外の無線を使って相互に通信を行うほか、他の機器のとの間で情報を授受する。
キャリア以外の無線通信機能としてＩＥＥＥ８０２．１１ｘ規格に基づく無線ＬＡＮ（ＷＬＡＮ：Wireless Local Area Network）、Bluetooth（登録商標）、ＵＷＢ（Ultra Wideband）が使用される。ＷＬＡＮは、ＷＬＡＮ機能を持つ携帯ノート型パソコン、ＰＤＡなどの携帯情報端末に幅広く用いられている。より低消費電力が要求される携帯電話機では、Bluetooth（登録商標）、ＵＷＢなどの小電力近距離双方向無線通信方式が注目されている。また、ＰＣＭＣＩＡカード，ＣＦカード形状のBluetooth（登録商標）接続装置など、形態は限定されない。
【００１７】
第１の筐体１１０は、折畳み式携帯端末装置の本体に対応するものである。但し、第１の筐体１１０単体で、携帯端末装置として使用できる点が異なる。
【００１８】
第２の筐体１２０は、大画面ＬＣＤの表示部１２１、マイク１２３、及びスピーカ１２２を備える。また、カメラ付き携帯電話機のように、第２の筐体１２０がＣＣＤカメラなどの撮像手段を備える構造であってもよい。マイク１２３は、第１の筐体１１０と第２の筐体１２０が接続している時はオフしており、分離した時にオンする。
【００１９】
第２の筐体１２０の端面には、第２の筐体１２０を着脱可能に接続するフレーム１３０に固定する、固定部凹１３８（図３参照）が設けられている。第２の筐体１２０内部には、第１の筐体１１０との間でキャリア以外の無線通信を行う無線通信部（図示略）とを備える。第２の筐体１２０は、折畳み式携帯端末装置の表示部に対応するものである。但し、第２の筐体１２０単体で使用できる点が異なる。
【００２０】
フレーム１３０は、第１の筐体１１０と第２の筐体１２０とを着脱可能に接続する取付ける装置である。フレーム１３０は、第１の筐体１１０と連結する連結部１３１と、フレーム表示部１３２と、フレーム窓部１３３と、固定部１３４とから構成される。
【００２１】
ヒンジ部１３５は、コネクタ１３６を介して回動可能に支持された第１の筐体１１０及び第２の筐体１２０を重ね合わせる。ヒンジ部１３５は、回転ヒンジもしくはワンプッシュ機構付ヒンジである。
【００２２】
固定部１３４は、図２に示すように軸１４２からなり、軸１４２を支点にして稼動することにより固定凸部１３９が連動し開き第２の筐体の固定凹部１３８にしっかりと固定される。
【００２３】
次に、分離型携帯端末装置１００の使用方法について説明する。本実施の形態の分離型携帯端末装置１００は、それぞれ単独使用が可能な第１の筐体１１０と第２の筐体１２０とを、フレーム１３０を介在して接続することで、いままでにない一体的な装置としての使用方法を実現する。
【００２４】
[接続使用時]
図２乃至図５に示すように、第１の筐体１１０と第２の筐体１２０とが縦方向に連結されるように、フレーム１３０に取り付ける。具体的には、コネクタ１３６に第２の筐体をフレーム１３０に沿ってコネクタ１３７を接続させる。
【００２５】
第１の筐体１１０と第２の筐体１２０の端部は、フレーム１３０の固定部１３４に嵌り込むように当接している。このように、固定部１３４が第２の筐体１２０の端部と嵌合し、第１の筐体１１０のコネクタ１３６の方向に向けて当接しているので、ヒンジ部１３５で２つの筐体が開閉したとしても、コネクタ１３６とコネクタ１３７との接続を確実にすることができる。また、フレーム１３０が第２の筐体の外面に沿って当接しているのでねじ止めしなくてもガタツキは少なく、ヒンジ部がワンプッシュ機構付ヒンジであっても、接続した状態で十分に使用は可能である。フレーム１３０は、第２の筐体を再度接続する場合のガイドとしての副次的な効果が可能である。
【００２６】
[分離使用時]
第１の筐体１１０に、フレーム１３０を収納状態で使用することも可能である。第１の筐体１１０と第２の筐体１２０とが縦方向に連結されているフレーム１３０の固定部１３４を開き、図２に示すように軸１４２を支点にして稼動することにより固定凸部１３９が連動し開き第２の筐体の固定凹部１３８当接から離れ、コネクタ１３６から第２の筐体１２０の分離が可能となる。
【００２７】
まず、第１の筐体１１０にフレーム１３０を収納状態で使用するには、連結部１３１の軸１４１a、１４２aをフレーム１３０が第１の筐体１１０の操作面と平行になるよう稼動させて、固定部１３４を、軸１４２を支点にして稼動することにより固定凸部１３９が連動し開き、第１の筐体の固定凹部１４０にしっかりと固定して使用可能となる。
【００２８】
以上のように、本実施の形態によれば、分離型携帯端末装置１００は、操作部１１１を有する第１の筐体１１０と、表示部１２１を有する第２の筐体１２０と、第１の筐体１１０と第２の筐体１２０を着脱自在に連結するフレーム１３０とを備え、フレーム１３０は、第１の筐体１１０と第２の筐体１２０を着脱可能に接続する取付ける装置である。フレーム１３０は、第１の筐体１１０と連結する連結部１３１と、フレーム表示部１３２と、フレーム窓部１３３と、固定部１３４とを備える。この構成によりフレーム１３０は、第１の筐体１１０又は第２の筐体１２０とを接続自在に切り替えることができる。第２の筐体１２０を分離又は接続のいずれの状態においても、第１の筐体１１０と第２の筐体１２０を従来より小型・薄型化を実現することができる。
【００２９】
（実施の形態２）
図８は、本発明の実施の形態１に係る携帯端末装置の背面から見た斜視図である。図９は、携帯端末装置で第２の筐体を装着した状態を示す正面図の構成を示す図であり、図１０は、第２の筐体を装着した状態を示す側面図である。また、図１１は、第２の筐体を装着した状態で折り畳んだ場合の構成を示す正面図であり、図１２は、第２の筐体を装着した状態で折り畳んだ場合の構成を示す側面図である。図１３は、第２の筐体を分離した状態でフレームを折り畳んだ場合の構成を示す正面図であり、図１４は、第２の筐体を分離した状態でフレームを折り畳んだ場合の構成を示す側面図である。図１乃至図４と同一構成部分には同一符号を付して重複箇所の説明を省略する。
【００３０】
本実施の形態は、分離型携帯端末装置としてカメラ付き携帯電話機／ＰＨＳ（Personal Handy-Phone System）を適用した例である。また、ＰＤＡ（Personal Digital Assistants：携帯情報端末）、携帯ゲーム機などの携帯機器に適用できる。
【００３１】
図８乃至図１４に示すように、分離型携帯端末装置２００は、キー等の操作部１１１（図９、図１０参照）を有する第１の筐体２１０と、ＬＣＤディスプレイ等の表示部１２１を有する第２の筐体２２０と、第１の筐体２１０は第２の筐体２２０をそれぞれ着脱可能に接続するフレーム２３０とを備えて構成される。第１の筐体２１０、第２の筐体２２０、及びフレーム２３０は、絶縁体である樹脂の成型品、例えば非導電性のＡＢＳ樹脂により構成される。第１の筐体２１０は、図９に示すように十字キー，機能キー，テンキー等の操作部１１１、小画面ＬＣＤ表示部１１２、マイク１１３、及びスピーカ１１４を備える。第１の筐体２１０のヒンジ部には、第２の筐体２２０と接続するためのコネクタ１３６及び第２の筐体２２０をそれぞれ着脱可能に接続するフレーム２３０、凹部２３５が設けられている。
【００３２】
第１の筐体２１０内部には、キャリア無線の電波を送受信して無線通信を行う通信部（図示略）と、キャリア以外の無線通信を行う無線通信部（図示略）とを備える。無線通信部は、第２の筐体２２０の無線通信部（図示略）との間でキャリア以外の無線を使って相互に通信を行うほか、他の機器のとの間で情報を授受する。キャリア以外の無線通信機能としてＩＥＥＥ８０２．１１ｘ規格に基づく無線ＬＡＮ（ＷＬＡＮ：Wireless Local Area Network）、Bluetooth（登録商標）、ＵＷＢ（Ultra Wideband）が使用される。ＷＬＡＮは、ＷＬＡＮ機能を持つ携帯ノート型パソコン、ＰＤＡなどの携帯情報端末に幅広く用いられている。より低消費電力が要求される携帯電話機では、Bluetooth（登録商標），ＵＷＢなどの小電力近距離双方向無線通信方式が注目されている。また、ＰＣＭＣＩＡカード，ＣＦカード形状のBluetooth（登録商標）接続装置など、形態は限定されない。  第１の筐体２１０は、折畳み式携帯端末装置の本体に対応するものである。但し、第１の筐体２１０単体で、携帯端末装置として使用できる点が異なる。
第２の筐体２２０は、図９に示すように大画面ＬＣＤの表示部１２１、及びスピーカ１２２を備える。また、カメラ付き携帯電話機のように、第２の筐体２２０がＣＣＤカメラなどの撮像手段を備える構造であってもよい。第２の筐体２２０の端面には、第２の筐体２２０を着脱可能に接続するフレーム２３０に固定する、凹部２３５（図８参照）が設けられている。第２の筐体２２０内部には、第１の筐体２１０との間でキャリア以外の無線通信を行う無線通信部（図示略）とを備える。
【００３３】
第２の筐体２２０は、折畳み式携帯端末装置の表示部に対応するものである。但し、第２の筐体２２０単体で使用できる点が異なる。フレーム２３０は、第１の筐体２１０と第２の筐体２２０とを着脱可能に接続する取付ける装置である。フレーム２３０は、第１の筐体２１０と連結する連結部２３１と、フレーム表示部２３２と、フック２３３ａ、凸部２３３ｂとから構成される。ヒンジ部１３５は、コネクタ１３６を介して回動可能に支持された第１の筐体２１０及び第２の筐体２２０を重ね合わせる。ヒンジ部１３５は、回転ヒンジもしくはワンプッシュ機構付ヒンジである。
【００３４】
次に、分離型携帯端末装置２００の使用方法について説明する。本実施の形態の分離型携帯端末装置２００は、それぞれ単独使用が可能な第１の筐体２１０と第２の筐体２２０とを、フレーム２３０を介在して接続することで、いままでにない一体的な装置としての使用方法を実現する。
【００３５】
[接続使用時]
図９乃至図１２に示すように、第１の筐体２１０と第２の筐体２２０とが縦方向に連結されるように、フレーム２３０に取り付ける。具体的には、コネクタ１３６に第２の筐体をフレーム２３０に沿ってコネクタ１３７を接続させる。
【００３６】
また、第１の筐体２１０と第２の筐体２２０の凹部２３４、凹部２３５は、フレーム２３０のフック２３３ａに嵌り込むように当接している。これにより、第２の筐体１２０が第１の筐体１１０のコネクタ１３６から離れる方向に対してフレーム２３０、特にフック２３３ａで規制することにより、ヒンジ部１３５で２つの筐体が開閉したとしても、コネクタ１３６とコネクタ１３７との接続を確実にすることができる。
また、フレーム２３０が第２の筐体の外面に沿って当接しているのでねじ止めしなくてもガタツキは少なく、ヒンジ部１３５で開閉しても十分に使用は可能である。フレーム２３０は、第２の筐体を再度接続する場合のガイドとしての副次的な効果が可能である。
第２の筐体２２０を、フレーム２３０から外すときは、接続使用時の手順を逆に、より大きい力を使って行うことで、コネクタ１３６から第２の筐体２２０の分離が可能となる。
【００３７】
[分離使用時]
第１の筐体２１０に、フレーム２３０を収納状態で使用することも可能である。図１３、図１４に示すように、第１の筐体２１０にフレーム２３０を収納状態で使用するには、連結部１３１の軸１４１a、１４２aをフレーム２３０が第１の筐体２１０の操作面と平行になるよう稼動させる。
フレーム２３０には、第１の筐体２１０の両側面の凹部２３５に両側から挟みこんで係止するフック２３３ａ、及びフック２３３ａの内側に設けられ第２の筐体２２０の凹部２３４に嵌り込む凸部２３３ｂとが形成される。フック２３３ａは、長さ方向に延びており、かつ可撓性の樹脂ばねから構成されているため、適度に力で外方に撓ることで、第１の筐体２１０の凹部２３５に嵌り込むことができる。これにより、第１の筐体１１０に、フレーム１３０を収納状態で使用することも可能である。
このように、フック２３３ａ、凹部２３４、凸部２３３ｂにより筐体側面で嵌合することで、実施の形態１のフレーム１３０と比べてフレーム２３０の長さを自由に決めることができる。さらに、フレーム２３０を短くすれば、分離した際の第１の筐体２１０を実施の形態１のときと比べてスリムにすることができる。また、フレーム２３０を短くすることで、操作部１１１の操作を妨げないという利点もある。
【００３８】
以上の説明は本発明の好適な実施の形態の例証であり、本発明の範囲はこれに限定されることはない。
【００３９】
上記実施の形態では、携帯端末装置として携帯電話機の携帯端末に適用した例について説明しているが、携帯電話機に限らずＰＤＡ等の携帯情報端末、パーソナルコンピュータ又はその融合された装置、さらにはＭＰ３プレーヤ、ＨＤＤプレーヤ、携帯型ゲーム機などの携帯機器に適用可能である。
【００４０】
また、上記実施の形態では、分離型携帯端末装置及びフレームという名称を用いたが、これは説明の便宜上であり、携帯端末装置、携帯通信端末、取付けホルダ等であってもよいことは勿論である。
【００４１】
さらに、上記携帯端末装置を構成する各部、例えばカメラ、補助光源、回路基板の種類・材質、その数及び接続方法などはどのようなものでもよい。また、第１及び第２の回路基板の設置位置は適宜変更が可能である。
【産業上の利用可能性】
【００４２】
本発明に係る携帯端末装置及びホルダは、操作部・通信部と表示部を分離させて、分離による機能拡張を行う分離型携帯端末装置の連結構造用途に有用である。
【符号の説明】
【００４３】
１００、２００    分離型携帯端末装置
１１０、２１０    第１の筐体
１１１    操作部
１１２    小画面ＬＣＤ表示部
１１３、１２３    マイク
１１４、１２２    スピーカ
１２０、２２０    第２の筐体
１２１    表示部
１３０、２３０    フレーム
１３１、２３１    連結部
１３２、２３２    フレーム表示部
１３３    フレーム窓部
１３４    固定部
１３５    ヒンジ部
１３６、１３７    コネクタ
１３８、１４０    固定凹部
１３９    固定凸部
２３３ａ    フック
２３３ｂ    凸部
２３４、２３５    凹部
【図１】
2012151578.tif 000003
【図２】
2012151578.tif 000004
【図３】
2012151578.tif 000005
【図４】
2012151578.tif 000006
【図５】
2012151578.tif 000007
【図６】
2012151578.tif 000008
【図７】
2012151578.tif 000009
【図８】
2012151578.tif 000010
【図９】
2012151578.tif 000011
【図１０】
2012151578.tif 000012
【図１１】
2012151578.tif 000013
【図１２】
2012151578.tif 000014
【図１３】
2012151578.tif 000015
【図１４】
2012151578.tif 000016